(57)【要約】【課題】不使用時、不本意につまみが回って、内容物が上昇することの無い繰り出し容器を提案する。【解決手段】  基部２と、本体３と、蓋１４と、軸部５と、受皿７とを具え、基部２または本体３を相対回転させることにより受皿７が本体３内部を上昇または下降する繰り出し容器１において、本体３の周壁には、本体３の中心軸線方向と平行な本体３の周壁を貫通する少なくとも一つの穴１６が開けられ、基部２の上面には、基部２の上面の中心を中心とする円の円周上に中心を有する穴１２があけられており、本体３の周壁に設けられた穴１６には、基部２に空いた穴１２の深さと本体３の全長の長さとを足し合わせた長さで本体３の穴１６の直径より小さい棒１１が入っており、この棒１１の下方に設けられている突起１５と基部２の上面との間にばね１３が設けられている。【選択図】図１
2020142044.tif 000002
【特許請求の範囲】
【請求項１】
略円筒状の基部と、
この基部上に相対回転可能に直立させて配置した中空円筒形の本体と、
本体における基部と反対側の端部に接合する蓋と、
前記基部の中央に直立して設けられて前記本体内部を貫通する、ねじ山を有する軸部と、
中央部に前記軸部のねじ山と噛み合うねじ部を形成した略円筒形の受皿とを具え、
前記受皿の外周または前記本体内壁のいずれか一方に、前記本体の中心軸線方向に延在する少なくとも一つのリブを設け、他方に前記リブと嵌合することにより前記受皿の回転を禁止する少なくとも一つの溝を設けると共に、
前記基部または前記本体を相対回転させることにより前記受皿が前記本体内部を上昇または下降する繰り出し容器において、
前記本体の周壁には、前記本体の中心軸線方向と平行な前記本体の周壁を貫通する少なくとも一つの穴が開けられ、
基部の上面には、基部の上面の中心を中心とする円の円周上に中心を有する穴があけられており、
前記本体の周壁に設けられた穴には、基部に空いた穴の深さと本体の全長の長さとを足し合わせた長さで本体の穴の直径より小さい棒が入っており、
この棒の下方に設けられている突起と基部の上面との間にばねが設けられている
ことを特徴とする繰り出し容器。
【請求項２】
前記棒の上端からわずかに離れたところに、棒全体が本体の穴から出ることを防ぐための、突起を設けており、
前記棒の上端から突起まので距離が、基部に設けられた穴の深さより長い
ことを特徴とする、請求項１記載の繰り出し容器。
【請求項３】
前記棒の下端からわずかに離れたところに、ばねを抑えるための突起を設けており、
前記棒の下端から突起まので距離が、ばねの自然長より短い
ことを特徴とする請求項１記載の繰り出し容器。
【請求項４】
前記ばねの直径は、
本体の穴の直径より小さく、本体の下に設けられた基部の穴の直径より小さく、突起の直径より小さく、棒の直径より大きい
ことを特徴とする請求項１記載の繰り出し容器。
【請求項５】
前記本体と基部の側面には、
それぞれ穴に棒を確実に入れるための、正面から見た内部の穴の中心の位置を示す印が設けられている
ことを特徴とする請求項１記載の繰り出し容器。
【発明の詳細な説明】
【技術分野】
【０００１】  本実施形態の繰り出し容器は、リップクリーム、スティック糊等に用いられる繰り出し容器である。
【背景技術】
【０００２】  リップクリーム、スティック糊等に用いられる繰り出し容器の例として、特許文献１に示すものがある。【０００３】  繰り出し容器は、略円筒状の基部と、この基部上に相対回転可能に直立させて配置した中空円筒形の本体と、基部の中央に直立して設けられて本体内部を貫通する、ねじ山を有する軸部と、中央部に軸部のねじ山と噛み合うネジ部を形成した略円筒形の受皿とを具える。【０００４】  リップクリーム、糊等の、棒状の製品は受皿上に取り付けられ、使用時には、基部と本体とを一方向に相対回転させることにより、軸部のねじ山と受皿のネジ部とが噛み合って受皿が上昇（前進）し、それによって本体内に収容されている製品が繰り出される。使用後は、基部と本体とを逆方向に相対回転させることにより、受皿が下降（後退）し、製品は本体内に再び収容される。【０００５】  かかる繰り出し容器のリップクリームでは、ポケットに入れていて使おうとしたときにリップクリームが折れている場合がある。これは、摩擦などの外力によってつまみが回ってしまうからである。
【先行技術文献】
【特許文献】
【０００６】
【特許文献１】特開２００２−３４６５２号公報
【発明の概要】
【発明が解決しようとする課題】
【０００７】  不用意に基部２の回動を防ぐために、係合ピンを係合させることによって外力によって化粧塗料が出ることを防ぐ発明があるが、使用しないときに係合ピン自体が不用意に係合してしまって、完全に不用意な回動を防ぐことはできないという問題がある。【０００８】  本発明は、不使用時、不本意につまみが回って、内容物が上昇することの無い繰り出し容器を提案する。
【課題を解決するための手段】
【０００９】  本発明の繰り出し容器は略円筒状の基部と、この基部上に相対回転可能に直立させて配置した中空円筒形の本体と、本体における基部と反対側の端部に接合する蓋と、前記基部の中央に直立して設けられて前記本体内部を貫通する、ねじ山を有する軸部と、中央部に前記軸部のねじ山と噛み合うねじ部を形成した略円筒形の受皿とを具え、前記受皿の外周または前記本体内壁のいずれか一方に、前記本体の中心軸線方向に延在する少なくとも一つのリブを設け、他方に前記リブと嵌合することにより前記受皿の回転を禁止する少なくとも一つの溝を設けると共に、前記基部または前記本体を相対回転させることにより前記受皿が前記本体内部を上昇または下降する繰り出し容器において、前記本体の周壁には、前記本体の中心軸線方向と平行な前記本体の周壁を貫通する少なくとも一つの穴が開けられ、基部の上面には、基部の上面の中心を中心とする円の円周上に中心を有する穴があけられており、前記本体の周壁に設けられた穴には、基部に空いた穴の深さと本体の全長の長さとを足し合わせた長さで本体の穴の直径より小さい棒が入っており、この棒の下方に設けられている突起と基部の上面との間にばねが設けられていることを特徴とする。
【発明の効果】
【００１０】  本発明によれば、不使用時、不本意に基部が回って、内容物が上昇することの無い。
【発明を実施するための形態】
【００１１】  本発明の実施形態の繰り出し容器は、リップクリーム、スティック糊等に用いられる繰り出し容器であって、使わない時に、内容物が上昇することを防止する措置をとったものである。具体的には、蓋を閉めている状態の時本体に内蔵されている棒が基部の穴に入り、基部が回らなくなるようにしたものである。
【００１２】  以下、図面を参照して本発明の好適な実施形態について説明する。
本実施形態の繰り出し容器１では、基部２、本体３、軸部５、受皿７、棒１１、ばね１３、蓋１４、から構成されている。
【００１３】  図１に示すように、繰り出し容器１は、略円筒状の基部２と、この基部２上に相対回転可能に直立させて配置した中空円筒形の本体３と、基部２の中央に直立して設けられて本体３内部を貫通する、ねじ山４を有する軸部５と、中央部に軸部５のねじ山４と噛み合う雌ネジ部６を形成した略円筒形の受皿７とを具える。
【００１４】  本体３は中空円筒形である。具体的には、本体３は、上端と下端に開口を有する周壁で囲まれた中空な空間を内部に有し、この中空な空間が上端と下端に設けられた開口と外部と連通している。この本体３の周壁には、その上端と下端との間を貫通する、本体３の中心軸線方向と平行な穴１６があけられている。この穴１６には、棒１１とばね１３が入る。
なお、この孔１６の上端には、返し１７が設けられている。
また、孔１６を設ける数はとくに限定されず、図３（ｂ）のように４つでもよいし、３以下や５つ以上設けてもよい。
【００１５】  基部２は本体３の真下に設置されている。つまり、基部２の上面に本体３の下端が載せられた状態となるように、基部２は本体３の下に配置されている。
基部２の中央には、基部２の中央に直立するように、軸部５が設けられている。
基部２の上面には、基部２の上面の中心を中心とする円の円周上に中心を有する複数の穴１２があけられている。なお、任意の位置にできるだけ近い位置でしまうことができるように、図３（ａ）のように穴１２を多くあけているが、図３（ｂ）のように穴１２の数は少なくてもよい。
穴１２には、その上端開口の内周面に面取り加工が施されており、棒１１を穴１２に入れるためのガイドになっている。
図４のように、基部２の外側には穴１２の中心を示す印１９が設けられており、本体３の外側には穴１６の中心を示す印１８が設けられている。この印同士を合わせることによって、棒１１がいずれかの穴１２に確実に収めることができるようになっている。（印の大きさは問わない）
【００１６】  蓋１４は、本体３の上端に取り付けられて、本体３の上端を塞ぐものである。この蓋１４は、ばね１３の復元力で蓋が外れないように、ねじ式になっている。なお、ばね１３の復元力で蓋１４が取れなければよく、蓋１４と本体３の接合はねじ式である必要はない。
【００１７】  軸部５は基部２と一体に形成された部品であり、雄ねじ部４が付いている。
なお、軸部５は基部２と一体に形成されていなくてもよく、別々の部品の部品を組み合わせてもよい。
【００１８】  受皿７は内容物を保持する中皿である。
この受け皿７には雌ネジ部６があり、この雌ネジ部６が軸部５の雄ねじ部４と噛み合っている。
したがって、軸部５の雄ねじ部４は受け皿７の雌ネジ部６と噛み合っており、基部２を回転させることによって受け皿７が上昇または下降するようになっている。
【００１９】  棒１１は本体３に開けられた穴１６に入っている。この棒１１は基部２に空いた穴１２の深さと本体３の全長の長さとを足し合わせた長さとであり、本体３の穴１２の直径より小さい。この棒１１の下端部が基部２に開けられた穴１２に出入りして、棒１１の下端部が穴１２に入っている場合、基部２が不用意に回動することを防ぐ。なお、穴１６にいれる棒１１の数は、とくに限定されない。全ての孔１６に棒１１をいれてもよいし、棒１１をいれない孔１６があってもよい。
棒１１の上下端からわずかに離れたところには、突起１５を設けている。
上端部側の突起１５は、棒１１全体が本体の穴から出ることを防ぐためものであり、棒１１の上端からわずかに離れたところに設けられている。具体的には、棒１１の上端から突起１５まので距離が、基部２に設けられた穴１２の深さより長くなるように設けられている。この上端部側の突起１５が本体３の孔１６の上端に設けられている返し１７に引っ掛かれば、棒１１が本体３の孔１６から抜け落ちない。
下端部側の突起１５は、ばね１３を抑えるためものであり、棒１１の下端からわずかに離れたところに設けられている。具体的には、棒１１の下端から突起１５まので距離が、ばね１３の自然長より短くなるように設けられている。
【００２０】  ばね１３は棒１１の下方に設けられている。具体的には、棒１１の下端部側の突起１５と基部２の上面との間にばね１３が設けられている。ばね１３は穴１６の直径より小さく、穴１２の直径より小さく、突起１３の直径より小さく、棒１１の直径より大きい。このため、蓋１４が閉まっていないとき、ばね１３が突起１５に反発して伸長することで、棒１１が穴１２に入ることを防ぐ。一方、蓋１４が閉まると、ばね１３が突起１５に押されて収縮するので、棒１１が穴１２に入ることができる。
【００２１】  以上のような構造であるので、使用時には、蓋１４を開けると、ばね１３の復元力により、棒１１が上がり、基部２の穴１２から出て、基部２が回せる状態になる。なお、この時、棒１１の上端部の突起１５が返し１７に引っ掛かることで、棒１１全体が穴１６から出るのを防いでいる。
【００２２】  その状態で基部２と本体３とを一方向に相対回転させることにより、軸部５のねじ山４と受皿７の雌ネジ部６とが噛み合って受皿７が上昇（前進）し、それによって本体３内に収容されている製品８が本体３の上端の開口から繰り出される。
【００２３】  使用後は、基部２と本体３とを逆方向に相対回転させることにより、受皿７が下降（後退）し、製品８は本体３内に再び収容される。
【００２４】  図２（ａ）に示すように、蓋１４をした時には、棒１１が穴１２に入り、基部２が回らない。つまり、蓋１４によって棒１１が下方に押されて、棒１１の下端部の突起１５によってばね１３が圧縮されるので、棒１１の下端部が基部２の穴１２に入るので、基部２と本体３の相対的な回転が固定される。したがって、不使用時、不本意に基部２が回って、内容物８が上昇することが無い。
【図面の簡単な説明】
【００２５】
【図１】本発明の繰り出し容器図１の概略説明図である。
【図２】本発明の繰り出し容器１の一部分を示す概略断面図であり、（ａ）は蓋１４をした状態で、（ｂ）は蓋１４をしていない状態である。
【図３】基部２と軸部５のみの部品の概略平面図である。
【図４】本発明に係る繰り出し容器１における、本体３と基部２に示された印１８，１９を示す概略正面図である。
【図５】図１のＡ−Ａ線に沿った概略断面図である。
【符号の説明】
【００２６】１    繰り出し容器
２    基部
３    本体
４    ねじ部
５    軸部
６    ねじ部
７    受け皿
８    内容物
９    本体内壁のリブ
１０  受皿外壁の溝
１１  棒
１２  穴
１３  ばね
１４  蓋
１５  突起
１６  穴
１７  返し
１８  印
１９  印
【図１】
2020142044.tif 000003
【図２】
2020142044.tif 000004
【図３】
2020142044.tif 000005
【図４】
2020142044.tif 000006
【図５】
2020142044.tif 000007
【手続補正書】
【提出日】令和2年3月10日(2020.3.10)
【手続補正１】
【補正対象書類名】特許請求の範囲
【補正対象項目名】請求項１
【補正方法】変更
【補正の内容】
【請求項１】
略円筒状の基部と、
この基部上に相対回転可能に直立させて配置した中空円筒形の本体と、
本体における基部と反対側の端部に接合する蓋と、
前記基部の中央に直立して設けられて前記本体内部を貫通する、ねじ山を有する軸部と、
中央部に前記軸部のねじ山と噛み合うねじ部を形成した略円筒形の受皿とを具え、
前記受皿の外周または前記本体内壁のいずれか一方に、前記本体の中心軸線方向に延在する少なくとも一つのリブを設け、他方に前記リブと嵌合することにより前記受皿の回転を禁止する少なくとも一つの溝を設けると共に、
前記基部または前記本体を相対回転させることにより前記受皿が前記本体内部を上昇または下降する繰り出し容器において、
前記本体の周壁には、前記本体の中心軸線方向と平行な前記本体の周壁を貫通する少なくとも一つの穴が開けられ、
基部の上面には、基部の上面の中心を中心とする円の円周上に中心を有する穴があけられており、
前記本体の周壁に設けられた穴には、基部に空いた穴の深さと本体の全長の長さとを足し合わせた長さで本体の穴の直径より小さい棒が入っており、
この棒の下方に設けられている突起と基部の上面との間にばねが設けられており、
蓋をした際、蓋が棒に接触し棒が下方に押され、棒の下端部が基部の穴にはいる
ことを特徴とする繰り出し容器。